【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
ユーザ指定検索ワードに関連する少なくとも１つのワードを含むようなマルチメディアプログラムを識別する方法において、該方法が、
メタデータ検索コントローラにおいて前記マルチメディアプログラム内に存在するようなワードを含むメタデータを入力するステップと、
前記メタデータ検索コントローラにおいて内包的メタデータ検索を実行するステップと、
前記ユーザ指定検索ワードと該ユーザ指定検索ワードに関連する前記マルチメディアプログラムのメタデータワードとの間の一致を識別するステップと、
を有することを特徴とする方法。
【請求項２】
請求項１に記載の方法において、
前記メタデータ検索コントローラにおいてワード対データベースを作成するステップであって、該ワード対データベースが複数のワード対を含み、前記ワード対データベース内の各ワード対が第１ワードと第２ワードとを有するようなステップと、
前記ワード対データベース内の各ワード対にワード対重み係数を割り当てるステップであって、該ワード対重み係数が前記ワード対の前記第１ワードと前記第２ワードとの間の関係の相対重要度を示すようなステップと、
を更に有していることを特徴とする方法。
【請求項３】
請求項２に記載の方法において、
前記メタデータ検索コントローラにおいて内包的メタデータ検索を実行するステップと、
前記ワード対データベースにおける少なくとも１つのワード対を識別するステップであって、該ワード対の一方のワードが前記マルチメディアプログラムのメタデータワードと一致し、前記ワード対の他方のワードが前記ユーザ指定検索ワードに一致するようなステップと、
を更に有していることを特徴とする方法。
【請求項４】
請求項３に記載の方法において、
前記内包的メタデータ検索において複数の検索フィールドの各々に検索フィールド重み係数を割り当てるステップであって、該検索フィールド重み係数が検索フィールドの相対重要度を反映する数であるようなステップ、
を更に有していることを特徴とする方法。
【請求項５】
請求項４に記載の方法において、
前記メタデータ検索コントローラにおいて、（１）ユーザの命令及び（２）ユーザの視聴の癖に関する情報の一方から検索フィールド重み係数を入力するステップ、
を更に有していることを特徴とする方法。
【請求項６】
請求項３に記載の方法において、
前記メタデータ検索コントローラを用いて、ワード対重み係数を前記ワード対データベース内の少なくとも１つのワード対に割り当てるステップ、
を更に有していることを特徴とする方法。
【請求項７】
請求項６に記載の方法において、
前記メタデータ検索コントローラにおいて、（１）ユーザの命令及び（２）ユーザの視聴の癖に関する情報の一方からワード対重み係数を入力するステップ、
を更に有していることを特徴とする方法。
【請求項８】
請求項７に記載の方法において、
前記メタデータ検索コントローラにおいて複数の検索フィールドを有するような内包的検索要求を入力するステップであって、該内包的検索要求において第１検索フィールドと第２検索フィールドとの間の関係が、論理演算子ＡＮＤ、論理演算子ＯＲ、論理演算子ＮＯＴ、並びに前記論理演算子ＡＮＤ、ＯＲ及びＮＯＴの組合せを有する論理演算子のうちの１つにより表されるようなステップ、
を更に有していることを特徴とする方法。
【請求項９】
請求項１に記載の方法において、
前記メタデータ検索コントローラにおいて排他的メタデータ検索を実行するステップと、
前記ユーザ指定検索ワードと該ユーザ指定検索ワードに正確に一致するような前記マルチメディアプログラムのメタデータワードとの間の一致を識別するステップと、
を更に有していることを特徴とする方法。
【請求項１０】
請求項９に記載の方法において、
前記メタデータ検索コントローラにおいて、内包的メタデータ検索および排他的メタデータ検索の一方を実行するための命令を入力するステップ、
を更に有していることを特徴とする方法。
【請求項１１】
請求項９に記載の方法において、
前記メタデータ検索コントローラにおいて複数の検索フィールドを有するような排他的検索要求を入力するステップであって、該排他的検索要求において第１検索フィールドと第２検索フィールドとの間の関係が、論理演算子ＡＮＤ、論理演算子ＯＲ、論理演算子ＮＯＴ、並びに前記論理演算子ＡＮＤ、ＯＲ及びＮＯＴの組合せから導出される論理演算子のうちの１つにより表されるようなステップ、
を更に有していることを特徴とする方法。
【請求項１２】
請求項４に記載の方法において、
前記内包的メタデータ検索により識別された各マルチメディアプログラムに対し、
各検索フィールドに対する検索フィールド重み係数と、
前記内包的メタデータ検索の間に検出された各ワード対に対するワード対重み係数と、
前記内包的メタデータ検索の間において見付かったワードの一致数と、
を用いてランク値を計算するステップ、
を更に有していることを特徴とする方法。
【請求項１３】
請求項１２に記載の方法において、
前記内包的メタデータ検索により識別された各マルチメディアプログラムに対する前記ランク値を、
【数１】
2005509951.tif 000001
なる式を用いて計算するステップであって、ここで、Ｎが検索フィールドにおけるワードの合計数であり、ｗｉがフィールドｉに対する検索フィールド重み係数であり、Ｍがフィールド内のワードの合計数であり、ｒｊが特定のフィールドにおける"ｊ"番目のワードに対するマッチング係数であり、一致が正確である場合にはｒｊの値が"１"に等しくなるようなステップ、
を更に有していることを特徴とする方法。
【請求項１４】
請求項１２に記載の方法において、
前記内包的メタデータ検索の間に識別されたマルチメディアプログラムの検索結果リストを作成するステップであって、該リストにおいて前記マルチメディアプログラムがこれらプログラムの対応するランク値に従って掲載されるようなステップ、
を更に有していることを特徴とする方法。
【請求項１５】
請求項１４に記載の方法において、
マルチメディアレコーダにより記録されるべきマルチメディアプログラムの優先度を、前記内包的メタデータ検索の間に識別されたマルチメディアプログラムのランク値を用いて自動的に更新するステップ、
を更に有していることを特徴とする方法。
【請求項１６】
請求項１５に記載の方法において、
前記メタデータ検索コントローラを用いて、プログラムリストからマルチメディアプログラムを、該マルチメディアプログラムのランク値を用いて算出されるプログラム削除係数の値に基づいて削除するステップ、
を更に有していることを特徴とする方法。
【請求項１７】
請求項１６に記載の方法において、前記プログラム削除係数（ＰＤＦ）は、
ＰＤＦ＝Ｃ１／ＲＶ＋（Ｃ２＊Ａ）
なる式から計算され、ここで、ＲＶは前記マルチメディアプログラムのランク値であり、Ｃ１は前記ランク値の逆数の係数であり、Ａは当該プログラムの年齢であり、Ｃ２は前記マルチメディアプログラムの前記年齢の係数であることを特徴とする方法。
【請求項１８】
請求項９に記載の方法において、
前記排他的メタデータ検索により識別された各マルチメディアプログラムに対し、
各検索フィールドに対する検索フィールド重み係数と、
前記排他的メタデータ検索の間に見付かったワードの一致数と、
を用いてランク値を計算するステップ、
を更に有していることを特徴とする方法。
【請求項１９】
請求項１８に記載の方法において、
前記排他的メタデータ検索の間に識別されたマルチメディアプログラムの検索結果リストを作成するステップであって、該リストにおいて前記マルチメディアプログラムがこれらプログラムの対応するランク値に従って掲載されるようなステップ、
を更に有していることを特徴とする方法。
【請求項２０】
請求項１９に記載の方法において、
マルチメディアレコーダにより記録されるべきマルチメディアプログラムの優先度を、前記排他的メタデータ検索の間に識別されたマルチメディアプログラムのランク値を用いて自動的に更新するステップ、
を更に有していることを特徴とする方法。
【請求項２１】
請求項２０に記載の方法において、
前記メタデータ検索コントローラを用いて、プログラムリストからマルチメディアプログラムを、該マルチメディアプログラムのランク値を用いて算出されるプログラム削除係数の値に基づいて削除するステップ、
を更に有していることを特徴とする方法。
【請求項２２】
請求項２１に記載の方法において、前記プログラム削除係数（ＰＤＦ）は、
ＰＤＦ＝Ｃ１／ＲＶ＋（Ｃ２＊Ａ）
なる式から計算され、ここで、ＲＶは前記マルチメディアプログラムのランク値であり、Ｃ１は前記ランク値の逆数の係数であり、Ａは当該プログラムの年齢であり、Ｃ２は前記マルチメディアプログラムの前記年齢の係数であることを特徴とする方法。
【請求項２３】
ユーザ指定検索ワードに関連する少なくとも１つのワードを含むようなマルチメディアプログラムを識別する装置において、該装置が、
前記マルチメディアプログラム内に存在するようなワードを含むメタデータを入力することができるメタデータ検索コントローラ、
を有し、前記メタデータ検索コントローラが、前記ユーザ指定検索ワードと該ユーザ指定検索ワードに関連する前記マルチメディアプログラムのメタデータワードとの間の一致を識別することができるような内包的メタデータ検索を実行することができることを特徴とする装置。
【請求項２４】
ユーザ指定検索ワードに関連する少なくとも１つのワードを含むようなマルチメディアプログラムを識別するためのコンピュータ読み取り可能な記憶媒体上に記憶されたコンピュータ実行可能な命令のプログラムにおいて、該コンピュータ実行可能な命令のプログラムが、
メタデータ検索コントローラにおいて、前記マルチメディアプログラム内に存在するようなワードを含むメタデータを入力するステップと、
前記メタデータ検索コントローラにおいて内包的メタデータ検索を実行するステップと、
前記ユーザ指定検索ワードと該ユーザ指定検索ワードに関連する前記マルチメディアプログラムのメタデータワードとの間の一致を識別するステップと、
を有することを特徴とするコンピュータ実行可能な命令のプログラム。